(57)【特許請求の範囲】
【請求項１】
デジタル放送を受信しトランスポートストリームに復調する復調部と、
前記トランスポートストリームから動画データ、静止画データ、前記動画データと前記静止画データを切替合成するときの基準となる切替制御データを分別するトランスポートデコード部と、
前記動画データをデコードする動画デコード部と、
前記デコードされた動画を前記切替制御データに基づいてスケーリングする動画スケーリング部と、
前記静止画データをデコードする静止画デコード部と、
前記デコードされた静止画を前記切替制御データに基づいて動画を切替合成する範囲に動画表示範囲指定静止画データをもった静止画に変換する動画表示範囲指定静止画データ変換部と、
前記変換された静止画を前記切替制御データに基づいてスケーリングする静止画スケーリング部と、
前記スケーリングした静止画から前記動画表示範囲指定静止画データを検出する動画表示範囲指定静止画データ検出部と、
前記動画表示範囲指定静止画データ検出部の結果に基づき、前記スケーリングした静止画の動画表示範囲指定静止画データの範囲に前記スケーリングした動画を切替合成する動画／静止画切替合成部とを備えたことを特徴とするデジタル放送受信機。
【請求項２】
前記動画表示範囲指定静止画データ変換部で変換された静止画を記録し、必要に応じて前記静止画スケーリング部に出力するメモリー部を備えたことを特徴とする請求項１記載のデジタル放送受信機。
【請求項３】
前記動画表示範囲指定静止画データが、動画との切替合成の際に静止画を表示する範囲の開始位置、終了位置の静止画データであることを特徴とする請求項１記載のデジタル放送受信機。
【発明の詳細な説明】
【０００１】
【発明の属する技術分野】
本発明は、デジタル放送受信機に関する。
【０００２】
【従来の技術】
図５は、水平、垂直同期信号で初期化するカウンターを用いて動画と静止画の切替領域を作り、その領域の中と外で動画と静止画を切替える特徴を持ったデジタル放送受信機のブロック図である。図３において、３０１はデジタル放送受信機、３０２はＩＦ部、３０３は復調部、３０４はトランスポートデコード部、３０５は動画デコード部、３０６は音声デコード部、３０７は静止画デコード部、３０８は文字図形デコード部、３０９は静止画、文字図形を記憶するメモリ部、３１０は動画のスケーリング部、３１１は静止画のスケーリング部、３１２は動画、静止画、文字図形の合成部、３１３は動画静止画切替領域生成部、３１４は動画静止画切替合成部、３１５は文字図形合成部、３１６は前記各部を制御する制御部である。
【０００３】
上記従来例において、動画と静止画の切替合成動作について説明する。動画デコード部３０５によってＭＰＥＧデータからデコードされた動画は動画スケーリング部３１０に送られる。動画スケーリング部３１０は、表示制御データに基づき動画を拡大縮小したあと、動画を合成部３１２に送る。静止画デコード部３０７でデコードされた静止画、文字図形デコード部３０８でデコードされた文字図形は、メモリ部３０９に記憶されたあと、合成部３１２に送られる。合成部３１２内の動画静止画切替領域生成部３１３は、表示制御データに基づいて動画、静止画の切替領域を生成する。動画静止画切替合成部３１４は、この切替領域の内外で動画と静止画を選択切替したあと、文字図形合成部３１５に送る。文字図形合成部３１５は、動画／静止画と文字図形をαブレンド合成する。そして合成された映像はＤ/Ａコンバータ３１８でアナログ変換され表示デバイスに送られる。
【０００４】
従って、上記従来のデジタル放送受信機においては、動画／静止画切替領域を生成するために、水平、垂直両方向のカウンターを内蔵する必要があった。また、切替領域を設定する設定値は、切替領域の数だけ必要であった。さらに、領域の形状は矩形領域に限定されていた。
【０００５】
【発明が解決しようとする課題】
このため、上記従来のデジタル放送受信機は、動画／静止画切替専用に水平、垂直両方向のカウンターを内蔵しなければならないという問題と、複数の動画／静止画の切替領域を要する場合、領域の数に比例した膨大な量の設定値が必要であるという問題と、複雑な形状の切替領域を生成するのが困難であるという問題を有していた。
【０００６】
本発明は、上記の問題を解決するもので、動画／静止画の切替領域に関する情報を特定の静止画データに置き換えて静止画データの中に埋め込む形でメモリに保存し、合成の際にその特定のデータを検出して動画／静止画の切替領域として利用することで、切替専用のカウンターを使わず、切替領域を設定する設定値を必要とせずに、複数の切替領域が必要な場合でも、簡単に動画／静止画の切替を実現するデジタル放送受信機を提供することを目的とする。
【０００７】
【課題を解決するための手段】
上記問題を解決するために本発明は、データ放送の表示制御データから動画／静止画切替領域を読み取る手段と、デコードされた静止画データの中で切替領域を指定する静止画データを特定のデータに置きかえる手段と、置き換えた後の静止画データをメモリに保存する手段と、メモリから静止画データを読み出す手段と、読み出した静止画データから切替領域を指定する特定のデータを検出する手段と、検出した特定のデータをもとに動画／静止画を切り替える手段を有することを特徴とする。
【０００８】
以上により、切替専用に水平、垂直両方向のカウンターを持たず、切替領域を設定する設定値を必要とせずに、複数の切替領域が必要な場合でも、簡単に動画／静止画の切替を実現することができる。
【０００９】
【発明の実施の形態】
本発明の第１の発明は、データ放送の表示制御データから動画／静止画切替領域を読み取る手段と、切替領域をもとにデコードされた静止画データの中で動画を表示する範囲のデータを特定の動画表示範囲指定静止画データに置きかえる手段と、置き換えた後の静止画データをメモリに保存する手段とを有するものであり、動画／静止画の切替領域を設定する設定値を必要とせずに、その領域の設定を静止画データの中に記憶させておくことができる作用と、複雑な切替領域の形状であっても静止画データの中に記憶させておくことができる作用を有する。
【００１０】
また、本発明の第２の発明は、上記の手段に加え、メモリから静止画データを読み出す手段と、読み出した静止画データから特定の動画表示範囲指定静止画データを検出する手段と、特定のデータの範囲を動画に切り替える手段を有するものであり、上記の作用に加え、動画／静止画の切替領域を設定する設定値と、水平、垂直両方向のカウンターにより生成される切替領域を必要とせずに、動画と静止画の切替合成ができる作用を有する。
【００１１】
また、本発明の第３の発明は、データ放送の表示制御データから動画／静止画切替領域を読み取る手段と、切替領域をもとにデコードされた静止画データの中で静止画を表示する範囲の開始位置、終了位置の静止画データを、水平期間ごとにそれぞれ特定の静止画表示開始位置指定静止画データ、静止画表示終了位置指定静止画データに置き換える手段と、置き換えた後の静止画データをメモリに保存する手段とを有するものであり、動画／静止画の切替領域を設定する設定値を必要とせずに、その領域の設定を静止画データの中に記憶させておくことができる作用と、複雑な切替領域の形状であっても静止画データの中に記憶させておくことができる作用を有する。
【００１２】
また、本発明の第４の発明は、上記の手段に加え、メモリから静止画データを読み出す手段と、読み出した静止画データから静止画表示開始位置を指定する特定の静止画データ、静止画表示終了位置を指定する特定の静止画データを検出する手段と、水平期間ごとに静止画表示開始位置指定静止画データから静止画表示終了位置指定静止画データの範囲を静止画に切り替える手段を有するものであり、上記の作用に加え、動画／静止画の切替領域を設定する設定値と、水平、垂直両方向のカウンターにより生成される切替領域を必要とせずに、動画と静止画の切替合成ができる作用を有する。
【００１３】
以下、本発明の実施の形態について、図１から図４を用いて説明する。
【００１４】
（実施の形態１）
図１は、本発明の実施の形態１におけるデジタル放送受信機のブロック図である。図２は、本発明の実施の形態１におけるデータ変換後の静止画データの概念図である。本発明の実施の形態１における、デジタル放送受信機のグラフィックス合成動作について、図１、図２を用いて説明する。
【００１５】
デジタル放送受信機１０１で受信したデジタル放送のＲＦ信号は、ＩＦ部１０２、復調部１０３にてトランスポートストリームに復調される。そして、トランスポートストリームはトランスポートデコード部１０４にて音声、動画、静止画、文字図形、データ放送用切替制御データ等に分別される。分別された音声、動画のＭＰＥＧデータ、静止画、文字図形のデータは、音声デコード部１０６、動画デコード部１０５、静止画デコード部１０７、文字図形デコード部１０８にてデコードされる。デコードされた動画は、切替制御データに基づき、動画スケーリング部１１１にて必要なスケーリング率にスケーリングされ、合成部１１３に送られる。
【００１６】
また、デコードされた静止画は、切替制御データに基づき、動画表示範囲指定静止画データ変換部１０９にて動画との合成の際に動画を表示する範囲の静止画データを特定の動画表示範囲指定静止画データに置き換え、図２のような静止画データに変換されて、メモリ部１１０に保存される。
【００１７】
そして、必要に応じてメモリ部１１０から読み出されて、切替制御データに基づき、静止画スケーリング部１１２にて必要なスケーリング率にスケーリングされ、合成部１１３に送られる。さらに、デコードされた文字図形は、メモリ部１１０に保存されたあと、必要に応じてメモリ部１１０から読み出されて、合成部１１３に送られる。合成部１１３では、まず動画表示範囲指定静止画データ検出部１１４にて送られてきた静止画データから特定の動画表示範囲指定静止画データを検出する。
【００１８】
次に、その検出結果に基づき、動画／静止画切替合成部１１５にて、特定の動画表示範囲指定静止画データの範囲は動画、特定の動画表示範囲指定静止画データの範囲外は静止画となるように選択切替する。そして、切替合成された動画／静止画と文字図形は、切替制御データに基づき、文字図形合成部１１６にてαブレンド合成される。デコードされた音声と、動画、静止画、文字図形が合成された映像は、それぞれＤ/Ａコンバータ１１７、１１８にてアナログ変換され、スピーカ、表示デバイスに送られる。
【００１９】
以上のように本発明の実施の形態によれば、前記デジタル放送受信機１０１内部に、前記ＩＦ部１０２と、前記復調部１０３と、前記トランスポートデコード部１０４と、前記動画デコード部１０５と、前記音声デコード部１０６と、前期静止画デコード部１０７と、前記文字図形デコード部１０８と、前記動画表示範囲指定静止画データ変換部１０９と、前記メモリ部１１０と、前記動画スケーリング部１１１と、前記静止画スケーリング部１１２と、前記合成部１１３と、前記動画表示範囲指定静止画データ検出部１１４と、前記動画／静止画切替合成部１１５と、前記文字図形合成部１１６と、前記Ｄ/Ａコンバータ部１１７、１１８と、前記制御部１１９を設けることにより、動画／静止画の切替領域を設定する設定値と、水平、垂直両方向のカウンターにより生成する切替領域を必要とせずに、動画と静止画の切替合成ができる。
【００２０】
（実施の形態２）
図３は、本発明の実施の形態２におけるデジタル放送受信機のブロック図である。図４は、本発明の実施の形態２における変換後の静止画データの概念図である。本発明の実施の形態２における、デジタル放送受信機のグラフィックス合成動作について、図３、図４を用いて説明する。
【００２１】
デジタル放送受信機１０１で受信したデジタル放送のＲＦ信号は、ＩＦ部１０２、復調部１０３にてトランスポートストリームに復調される。そして、トランスポートストリームはトランスポートデコード部１０４にて音声、動画、静止画、文字図形、データ放送用切替制御データ等に分別される。分別された音声、動画のＭＰＥＧデータ、静止画、文字図形のデータは、音声デコード部１０６、動画デコード部１０５、静止画デコード部１０７、文字図形デコード部１０８にてデコードされる。デコードされた動画は、切替制御データに基づき、動画スケーリング部１１１にて必要なスケーリング率にスケーリングされ、合成部１１３に送られる。
【００２２】
また、デコードされた静止画は、切替制御データに基づき、静止画表示開始、終了位置指定静止画データ変換部２０９にて動画との合成の際に静止画を表示する範囲の開始位置、終了位置の静止画データを特定の静止画表示開始位置指定静止画データ、静止画表示終了位置指定静止画データに置き換え、図４のような静止画データに変換されて、メモリ部１１０に保存される。そして、必要に応じてメモリ部１１０から読み出されて、切替制御データに基づき、静止画スケーリング部１１２にて必要なスケーリング率にスケーリングされ、合成部１１３に送られる。
【００２３】
さらに、デコードされた文字図形は、メモリ部１１０に保存されたあと、必要に応じてメモリ部１１０から読み出されて、合成部１１３に送られる。合成部１１３では、まず静止画表示開始位置、終了位置指定静止画データ検出部２１４にて送られてきた静止画データから静止画の表示開始位置、終了位置を示す特定のデータを検出する。次に、その検出結果に基づき、動画／静止画切替合成部１１５にて、水平期間ごとに特定の静止画表示開始位置指定静止画データから静止画表示終了位置指定静止画データの範囲は静止画、それ以外の範囲は動画となるように選択切替する。そして、切替合成された動画／静止画と文字図形は、切替制御データに基づき、文字図形合成部１１６にてαブレンド合成される。デコードされた音声と、動画、静止画、文字図形が合成された映像は、それぞれＤ/Ａコンバータ１１７、１１８にてアナログ変換され、スピーカ、表示デバイスに送られる。
【００２４】
以上のように本発明の実施の形態によれば、前記デジタル放送受信機１０１内部に、前記ＩＦ部１０２と、前記復調部１０３と、前記トランスポートデコード部１０４と、前記動画デコード部１０５と、前記音声デコード部１０６と、前期静止画デコード部１０７と、前記文字図形デコード部１０８と、前記静止画表示開始位置、終了位置指定静止画データ変換部２０９と、前記メモリ部１１０と、前記動画スケーリング部１１１と、前記静止画スケーリング部１１２と、前記合成部１１３と、前記静止画表示開始位置、終了位置指定データ検出部２１４と、前記動画／静止画切替合成部１１５と、前記文字図形合成部１１６と、前記Ｄ/Ａコンバータ部１１７、１１８と、前記制御部１１９を設けることにより、動画／静止画の切替領域を設定する設定値と、水平、垂直両方向のカウンターにより生成する切替領域を必要とせずに、動画と静止画の切替合成ができる。
【００２５】
【発明の効果】
以上のように本発明は、データ放送の表示制御データから動画／静止画切替領域を読み取る手段と、デコードされた静止画データの中で切替領域を指定する静止画データを特定の静止画データに置きかえる手段と、置き換えた後の静止画データをメモリに保存する手段とを設けることにより、動画／静止画の切替領域を設定する設定値を必要とせずに、その領域の設定を静止画データの中に記憶させておくことができる効果と、複雑な切替領域の形状であっても静止画データの中に記憶させておくことができる効果が得られる。
【００２６】
また、上記の手段に加え、メモリから静止画データを読み出す手段と、読み出した静止画データから切替領域を指定する特定のデータを検出する手段と、検出した特定のデータをもとに動画／静止画を切り替える手段を設けることにより、上記の効果に加え、動画／静止画の切替領域を設定する設定値と、水平、垂直両方向のカウンターにより生成される切替領域を必要とせずに、動画と静止画の切替合成ができる効果が得られる。
【図面の簡単な説明】
【図１】本発明の実施の形態１におけるデジタル放送受信機のブロック図
【図２】本発明の実施の形態１におけるデータ変換後の静止画データ概念図
【図３】本発明の実施の形態２におけるデジタル放送受信機のブロック図
【図４】本発明の実施の形態１におけるデータ変換後の静止画データ概念図
【図５】従来のデジタル放送受信機のブロック図
【符号の説明】
１０１  デジタル放送受信機
１０２  ＩＦ部
１０３  復調部
１０４  トランスポートデコード部
１０５  動画デコード部
１０６  音声デコード部
１０７  静止画デコード部
１０８  文字図形デコード部
１０９  動画表示範囲指定静止画データ変換部
１１０  メモリ部
１１１  動画スケーリング部
１１２  静止画スケーリング部
１１３  合成部
１１４  動画表示範囲指定静止画データ検出部
１１５  動画静止画切替合成部
１１６  文字図形合成部
１１７  音声Ｄ/Ａコンバータ
１１８  映像Ｄ/Ａコンバータ
１１９  制御部
２０９  静止画表示開始位置、終了位置指定静止画データ変換部
２１４  静止画表示開始位置、終了位置指定静止画データ検出部
３０１  デジタル放送受信機
３０２  ＩＦ部
３０３  復調部
３０４  トランスポートデコード部
３０５  動画デコード部
３０６  音声デコード部
３０７  静止画デコード部
３０８  文字図形デコード部
３０９  メモリ部
３１０  動画スケーリング部
３１１  静止画スケーリング部
３１２  合成部
３１３  切替領域生成部
３１４  動画静止画切替合成部
３１５  文字図形合成部
３１６  制御部
３１７  音声Ｄ/Ａコンバータ
３１８  映像Ｄ/Ａコンバータ
【図１】
0004374659.tif 000002
【図２】
0004374659.tif 000003
【図３】
0004374659.tif 000004
【図４】
0004374659.tif 000005
【図５】
0004374659.tif 000006